(57)【要約】【課題】過電圧による遊技機の破損を従来よりも効果的に抑制することが可能であり、かつ容易に取り付けおよび交換が可能な遊技機の保護装置を提供する。【解決手段】本発明の一実施形態は、遊技機に用いるための保護装置１００であって、外部電源に電気的に接続される入力部１２０と、遊技機に電気的に接続される出力部１３０と、入力部と出力部とを電気的に接続するとともに、入力部から印加される電圧が閾値電圧を超えた場合に、入力部と出力部とを電気的に遮断する過電圧遮断部１５０と、を備え、遊技機の外部において、外部電源と遊技機との間に着脱可能に構成されている。【選択図】図３
2015223476.tif 000002
【特許請求の範囲】
【請求項１】
外部電源から電力供給を受けることによって駆動される遊技機に用いるための保護装置であって、
前記外部電源に電気的に接続される入力部と、
前記遊技機に電気的に接続される出力部と、
前記入力部と前記出力部とを電気的に接続するとともに、前記入力部から印加される電圧が閾値電圧を超えた場合に、前記入力部と前記出力部とを電気的に遮断する過電圧遮断部と、
を備え、
前記遊技機の外部において、前記保護装置の少なくとも一部が前記外部電源と前記遊技機との間に着脱可能に構成されている
ことを特徴とする保護装置。
【請求項２】
前記閾値電圧は２４Ｖ以上１００Ｖ未満であることを特徴とする請求項１に記載の保護装置。
【請求項３】
前記閾値電圧は２６．４Ｖ以上であることを特徴とする請求項２に記載の保護装置。
【請求項４】
前記閾値電圧は３１．２Ｖ未満であることを特徴とする請求項２に記載の保護装置。
【請求項５】
前記過電圧遮断部を覆う筐体と、
前記筐体上に設けられ、可視光の少なくとも一部に対して透明な窓と、
をさらに備え、
前記過電圧遮断部は前記窓を介して視認可能な位置に設けられている
ことを特徴とする請求項１に記載の保護装置。
【請求項６】
前記入力部と、前記出力部と、前記過電圧遮断部とを有する自由ユニットと、
前記外部電源と前記遊技機との間に接続され、前記自由ユニットを着脱可能な固定ユニットと、
を備え、
前記自由ユニットが前記固定ユニットに取り付けられている場合に、前記外部電源と前記遊技機とは前記過電圧遮断部を介して電気的に接続され、
前記自由ユニットが前記固定ユニットに取り付けられていない場合に、前記外部電源と前記遊技機とは電気的に接続されない
ことを特徴とする請求項１に記載の保護装置。
【請求項７】
前記固定ユニットは、凹部および貫通部の少なくとも一方であるスロットを有し、
前記自由ユニットは前記スロットに嵌合することによって前記固定ユニットに取り付けられる
ことを特徴とする請求項６に記載の保護装置。
【請求項８】
前記外部電源から電力の供給を受ける電源ユニットと、
前記外部電源と前記電源ユニットとの間に位置する請求項１に記載の保護装置と、
を備えることを特徴とする遊技機。
【発明の詳細な説明】
【技術分野】
【０００１】
本発明は、遊技機に用いられる保護装置、より詳細には遊技機を過電圧から保護するための保護装置に関する。
【背景技術】
【０００２】
現在の遊技機市場において、パチンコ機の定格電圧は交流２４Ｖに統一されているが、パチスロ機（スロットマシンともいう）の定格電圧には、交流２４Ｖと交流１００Ｖとが混在している。そのため、パチンコ機およびパチスロ機が固定される設備（島ともいう）には、交流１００Ｖの電源と交流２４Ｖの電源とが設置されている。遊技機の定格電圧が異なっていたとしても、一般に遊技機の電源端子は商用電源のプラグと同一形状を有している。このため、遊技機に定格電圧とは異なる電圧の電源が誤って接続（以下、誤接続ともいう）されてしまうことがある。電源端子又は電源ケーブルの一部に色を付すことによって各電源を区別可能にすることが広く行われているが、作業者のミスに起因する誤接続を完全に防ぐことはできない。
【０００３】
特に２４Ｖの定格電圧を有する遊技機に１００Ｖの電源を接続してしまうと、遊技機に過電圧が印加される。その場合には遊技機に過大な電流が流れるため、遊技機が備えるメイン制御基板、サブ制御基板、電源ユニット等の電気部品が破損するおそれがある。破損した電気部品の調達コスト、および修理が完了するまでの非稼働時間による機会損失は甚大である。そのため、遊技機に誤接続を行った場合の遊技機の破損を防止する技術が求められている。
【０００４】
特許文献１には、遊技機内に保護基板を設け、所定の範囲を超える電圧が印加された場合に保護基板のヒューズが切断されることによって、遊技機と外部電源との間の電気接続を遮断する技術が開示されている。この構成によれば、電源の誤接続によって遊技機に過電圧が印加された場合の遊技機の破損を抑制することができる。さらに、この技術では保護基板は遊技機内において着脱可能に設けられるため、保護基板のヒューズが切断された場合には保護基板ごと交換することができる。
【先行技術文献】
【特許文献】
【０００５】
【特許文献１】特開２００２−６５９６７号公報
【発明の概要】
【発明が解決しようとする課題】
【０００６】
しかしながら、特許文献１に記載の技術では、保護基板は遊技機の内部に設けられているため、保護基板の遮断機能が作動した際に、ヒューズが飛散すること等によって遊技機の他の電気部品（例えば、筐体、メイン制御基板又はサブ制御基板）まで破損する場合がある。すなわち、保護基板が過電圧による遊技機の電気的な破損を防いだ場合であっても、保護基板自身が遊技機を物理的に汚染又は破壊する場合がある。また、遊技機内における保護基板の取り付け可能な位置および方法には制約が大きいため、既存の遊技機に事後的に保護基板を取り付けることは容易ではない。
【０００７】
本発明は、上述の問題に鑑みて行われたものであって、過電圧による遊技機の破損を従来よりも効果的に抑制することが可能であり、かつ容易に取り付けおよび交換が可能な遊技機の保護装置を提供することを目的とする。
【課題を解決するための手段】
【０００８】
本発明の一態様は、外部電源から電力供給を受けることによって駆動される遊技機に用いるための保護装置であって、前記外部電源に電気的に接続される入力部と、前記遊技機に電気的に接続される出力部と、前記入力部と前記出力部とを電気的に接続するとともに、前記入力部から印加される電圧が閾値電圧を超えた場合に、前記入力部と前記出力部とを電気的に遮断する過電圧遮断部と、を備え、前記遊技機の外部において、前記保護装置の少なくとも一部が前記外部電源と前記遊技機との間に着脱可能に構成されていることを特徴とする。
【発明の効果】
【０００９】
本発明に係る遊技機の保護装置は、該遊技機の外部において、外部電源と遊技機との間に着脱可能に構成されているため、容易に取り付けおよび交換することが可能である。
【図面の簡単な説明】
【００１０】
【図１】本発明の一実施形態に係る保護装置が接続された遊技機の前面図および背面図である。
【図２】本発明の一実施形態に係る保護装置の接続関係を示すブロック図である。
【図３】本発明の一実施形態に係る保護装置の斜視図である。
【図４】本発明の一実施形態に係る保護基板の回路図である。
【図５】本発明の一実施形態に係る保護装置が接続された遊技機の前面図および背面図である。
【図６】本発明の一実施形態に係る保護基板の回路図である。
【図７】本発明の一実施形態に係る保護装置の斜視図である。
【発明を実施するための形態】
【００１１】
以下、図面を参照して、本発明の実施の形態を説明するが、本発明は本実施形態に限定されるものではない。なお、以下で説明する図面で、同機能を有するものは同一符号を付け、その繰り返しの説明は省略することもある。
【００１２】
（第１の実施形態）
図１（ａ）は保護装置１００が接続された遊技機９００（パチンコ機）の前面図であり、図１（ｂ）は保護装置１００が接続された遊技機９００の背面図である。遊技機９００は、前面側に遊技盤９１０およびハンドル９２０を備え、背面側に電源ユニット９３０および不図示の制御基板を備える。本実施形態において遊技機９００の定格電圧は交流２４Ｖであるが、本発明はこの具体的な値に限定されるものではなく、その他の定格電圧でもよい。
【００１３】
外部電源９５０は、遊技機９００が固定される設備（島）に設置され、電源ケーブル９４０を介して交流２４Ｖを遊技機９００の電源ユニット９３０に供給する。外部電源９５０の出力端子９５１は、電源ユニット９３０と外部電源９５０とを電気的に接続させるための経路である電源ケーブル９４０の入力端子９４１に接続される。
【００１４】
電源ユニット９３０は、外部電源９５０から電源ケーブル９４０を介して供給される交流電圧（２４Ｖ）を直流電圧（５Ｖ、１２Ｖ等）に変換し、遊技機９００の各電気部品に供給するように構成されている。電源ユニット９３０の入力端子９３１は、電源ケーブル９４０の出力端子９４２に接続される。電源ユニット９３０は任意の形状を有してよく、例えば箱状の電源ボックス又は基板状の電源基板である。
【００１５】
保護装置１００は、電源ユニット９３０の入力端子９３１と、電源ケーブル９４０の出力端子９４２との間に、着脱可能（すなわち、任意に取り付け、また取り外すことが可能）に接続される。そのため、外部電源９５０からの交流電圧は、電源ケーブル９４０と保護装置１００とを介して、遊技機９００の電源ユニット９３０に印加される。保護装置１００は、外部電源９５０から、遊技機９００の定格電圧よりも大きい所定の値を超える電圧が印加された場合に、外部電源９５０と遊技機９００の電源ユニット９３０との間の電気接続を切断（遮断）するように構成されている。本実施形態において保護装置１００は電源ユニット９３０の入力端子９３１に直接接続されるが、保護装置１００と電源ユニット９３０の入力端子９３１とはケーブルを介して接続されてもよい。
【００１６】
図２は、遊技機９００、保護装置１００および外部電源９５０の接続を示すブロック図である。図２に示すように、保護装置１００は、遊技機９００の外部において電源ユニット９３０と外部電源９５０との間に着脱可能に接続されている。これにより、保護装置１００を遊技機９００に新たに取り付けることが容易であり、保護装置１００の遮断機能が作動した際には保護装置１００の状態を容易に確認して交換することができる。ここで、遊技機９００の外部とは、少なくとも遊技機９００の背面から遊技機９００の外側に向かって離間した空間を指す。例えば、本実施形態のように電源ユニット９３０を介して保護装置１００が固定されている場合、保護装置１００は遊技機９００の外部に設けられていることになる。すなわち、遊技機９００は、弾球遊技機（パチンコ機）であるので、背面側（釘が打ち付けられた盤面と対向する面）が解放されているが、保護装置１００は、上記背面を基準にすると遊技機９００の内側（該背面よりも盤面側）と反対側に位置するので、保護装置１００は遊技機９００の外部に設けられていると言える。
一方、遊技機が回胴遊技機（パチスロ機）の場合は、遊技機の背面側は板により、電源ユニット９３０に接続された電源ケーブル９４０の入力端子９４１を外部電源９５０に接続させるよう電源ユニット９３０の少なくとも一部を露出した形で閉じられている。この形態においても、保護装置１００は、上記背面側の板を基準にすると遊技機の内側と反対側に位置するので、保護装置１００は遊技機の外部に設けられていると言える。
【００１７】
図３（ａ）は、保護装置１００を入力側、すなわち外部電源９５０に接続される側から見た斜視図である。図３（ｂ）は、保護装置１００を出力側、すなわち遊技機９００の電源ユニット９３０に接続される側から見た斜視図である。
【００１８】
保護装置１００は、筐体１１０と、電力の入力部としての２本のプラグ１２０と、電力の出力部としての２穴のソケット１３０と、筐体１１０の少なくとも一部に設けられた窓１４０とを備える。筐体１１０は、樹脂等の絶縁性材料で形成されている。筐体１１０の内部には過電圧印加時に電気接続を遮断する保護基板１５０が設けられており、窓１４０から保護基板１５０の状態を視認可能である。
【００１９】
プラグ１２０は、商用電源のプラグと同一形状を備え、電源ケーブル９４０を介して外部電源９５０に着脱可能に接続される。ソケット１３０は、筐体１１０におけるプラグ１２０の裏面に設けられ、遊技機９００の電源ユニット９３０に着脱可能に接続される。本実施形態では、プラグ１２０およびソケット１３０は汎用的な２つの電極を備えている。そのため、既存の遊技機９００および外部電源９５０を変更することなく、保護装置１００を利用することができる。プラグ１２０およびソケット１３０はこの構成に限定されず、遊技機９００と外部電源９５０との間に挿設可能な任意の構成でよい。例えば、入力部および出力部の凸凹が逆でもよく、又は入力部および出力部が共に平面状の電極でもよい。さらに、接地電極を含むプラグ１２０およびソケット１３０を用いても良い。
【００２０】
窓１４０は、可視光の少なくとも一部に対して透明若しくは半透明であり、例えば、アクリル、ポリカーボネート、塩化ビニル等の材料を用いて形成される。これにより、ユーザ（例えば設置作業者）が窓１４０を介して保護基板１５０の状態、すなわち遮断機能が作動したか否かを視認することができる。また、筐体１１０と窓１４０とが保護基板１５０を覆っているため、保護基板１５０自体を外部環境から物理的に保護することができ、また保護基板１５０の遮断機能作動時に外部環境に汚染又は破壊が及ぶことを物理的に抑制することができる。窓１４０による物理的な保護機能がなくてよい場合には、窓１４０を省略して保護基板１５０を直接視認できるように保護装置１００を構成してもよい。
【００２１】
特許文献１に記載の従来技術において、保護基板は遊技機内部に設置されている。遊技機内部においては、保護基板の取り付け可能な位置の制約が大きく、一般的に保護基板はユーザから視認し難い位置に設置せざるを得ない。例えば、遊技機背面側の奥まった位置に保護基板が設置された場合、ユーザは保護基板による遮断機能の作動を視認し難い。それに対して、本実施形態に係る保護装置１００は、遊技機９００の外部に設けられるため、保護装置１００の外側から保護基板１５０を視認し易い。このため、誤接続を行って保護基板による遮断機能が作動したことをユーザが容易に確認することができる。
また、特許文献１では、保護基板が上述のように奥まった位置に設置されているが、保護基板のヒューズ切断の音によりユーザが、上述のように保護基板の作動を視認しづらいが上記遮断機能がなされたことを認知することができるかもしれない。しかしながら、遊技機９００が置かれている環境によっては、上記ヒューズ切断の音が掻き消されてユーザに聞こえない場合も有り得る。これに対して、本実施形態では、上述のように容易にユーザが、遮断機能が発せられたことを視認することができるので、たとえ遊技機９００の設置環境が騒々しいものであっても、上記遮断機能が発せられたことを認知することができる、すなわち、設置された遊技機９００の音環境によらず、容易に上記遮断がなされたか否かをユーザが認識することができる。
【００２２】
図４は、保護装置１００が備える保護基板１５０の回路図である。保護基板１５０は、プラグ１２０に電気的に接続される入力端子ＣＮ１と、ソケット１３０に電気的に接続される出力端子ＣＮ２と、入力端子ＣＮ１と出力端子ＣＮ２との間を電気的に接続する導電性のラインＬ１、Ｌ２とを備える。
【００２３】
入力端子ＣＮ１と出力端子ＣＮ２との間には、過電圧を検出した場合に電気接続を遮断する過電圧遮断部Ｅ１が設けられる。過電圧遮断部Ｅ１は、接続切断部としてのヒューズＦ１と、過電圧検出部としてのサージアブソーバＳ１とを備える。
【００２４】
サージアブソーバＳ１は、ラインＬ１とラインＬ２との間に接続される。過電圧検出部として、サージアブソーバ以外に、バリスタやサイリスタ等、所定範囲を超える電圧を検出して電流を流す任意の部品を用いることができる。接続切断部としてのヒューズＦ１は、ラインＬ２上で入力端子ＣＮ１とサージアブソーバＳ１との間に設けられる。
【００２５】
過電圧遮断部Ｅ１は、閾値電圧Ｖ１を超える電圧が印加される場合に電気接続を遮断するように構成される。より具体的には、サージアブソーバＳ１に降伏電圧である閾値電圧Ｖ１より大きい電圧が印加されると、サージアブソーバＳ１の抵抗値が降下して大電流が流れ、ヒューズＦ１が溶断する。これにより、定格電圧が２４Ｖである遊技機９００に１００Ｖの電源が誤って接続された場合に、保護基板１５０において過電圧遮断部Ｅ１が電気接続を遮断するため、過電圧（閾値電圧Ｖ１よりも大きな電圧）の印加による遊技機９００の破損を抑制することができる。一方、サージアブソーバＳ１に印加される電圧が閾値電圧以下である場合には、サージアブソーバＳ１は高抵抗となり、ヒューズＦ１は溶断せずに、遊技機９００に電源電圧が印加される。
【００２６】
閾値電圧Ｖ１は、２４Ｖ以上１００Ｖ未満に設定される。これにより、遊技機市場における定格電圧２４Ｖの電源と定格電圧１００Ｖの電源との混在による誤接続に起因する遊技機の破損を低減することができる。電源からの電圧は＋−１０％程度の範囲で変動するため、保護装置１００に２４Ｖの電源が接続された場合に、最大で２６．４Ｖの電圧が印加され得る。したがって、電圧の変動による遮断を避けるために閾値電圧Ｖ１は２６．４Ｖ以上であることが望ましい。換言すると、閾値電圧Ｖ１は遊技機９００の定格電圧以上であり、電圧の変動を加味して定格電圧に１０％を加算した数値以上であることが望ましい。
【００２７】
遊技機９００には、その値を超えた場合に故障し得る最大定格電圧が存在する。最大定格電圧は、電圧の変動範囲よりも大きく設定され、一般的には定格電圧の＋３０％程度である。そのため、閾値電圧Ｖ１は、２４Ｖに３０％を加算した３１．２Ｖ未満であることがより望ましい。換言すると、閾値電圧Ｖ１は、遊技機９００の定格電圧に３０％を加算した数値未満であることが望ましい。すなわち、閾値電圧Ｖ１は、遊技機９００の最大定格電圧未満であることが望ましい。
【００２８】
環境が暗い等の状況により、ユーザはヒューズＦ１が溶断したか否かを判定しづらい場合がある。そのため、保護装置１００は、さらに不図示のＬＥＤ、白熱電球等の表示部を備えることが望ましい。該表示部は、ラインＬ１、Ｌ２に電流が流れているときは発光し、流れていないときは消光するように保護基板１５０上に実装される。これにより、ユーザは窓１４０を介して、該表示部の発光／消光に基づいて保護基板１５０の遮断機能が作動したか否かを容易に判定することができる。
【００２９】
本実施形態に係る保護基板１５０は例示的な構成であり、過電圧（閾値電圧Ｖ１よりも大きい電圧）が印加された際に電気接続を遮断することが可能であれば任意の構成でよい。
【００３０】
本実施形態に係る保護基板１５０は２本の電力線のみを入出力する構成を有するが、プラグ１２０およびソケット１３０にさらにグランド線が接続される場合には、保護基板１５０上にさらにグランド線を接続するためのラインを設けてもよい。
【００３１】
本実施形態では、保護装置１００は遊技機９００の外部に設けられているため、遊技機９００へ新たに取り付けることが容易であり、保護装置１００の遮断機能が作動した際には保護装置１００の状態を容易に確認し、交換することができる。また、保護装置１００には可視光の少なくとも一部に対して透明な窓１４０が設けられているため、ユーザは窓１４０を介して保護装置１００内部の保護基板１５０の状態を視認可能であり、かつ保護基板１５０上のヒューズが溶断した場合に周囲が汚染又は破壊されることを抑制することができる。
【００３２】
また、本実施形態では保護装置１００に一般的な接続方式であるプラグ１２０およびソケット１３０を採用しているため、既存の遊技機９００および外部電源９５０を変更することなく、保護装置１００を利用することができる。
【００３３】
また、本実施形態では保護基板１５０に電気的制御が不要なヒューズＦ１およびサージアブソーバＥ１を含む単純な回路を用いているため、保護装置１００の製造および導入を低コストで行うことができる。
【００３４】
（第２の実施形態）
本実施形態は、第１の実施形態とは保護装置１００の遊技機に対する取り付け箇所が異なる。図３に記載の保護装置１００は第１の実施形態にも本実施形態にも適用可能であるため、保護装置１００の構成は共通である。
【００３５】
本実施形態では、保護装置１００は、電源ケーブル９４０の入力端子９４１と外部電源９５０の出力端子９５１との間に、着脱可能に接続される。一方、電源ユニット９３０の入力端子９３１と、電源ケーブル９４０の出力端子９４２とは直接接続される。入力端子９３１および出力端子９４２を介さずに、電源ケーブル９４０を電源ユニット９３０上に直接設けてもよい。
【００３６】
本実施形態は、第１の実施形態が奏する効果に加えて、さらに以下の効果を奏する。日本においては、遊技機に変更を行う場合に行政機関への届出を行うことが義務づけられている。そのため、遊技機が設置される風俗営業所において、遊技機の付属物の交換等の変更を行った場合には、営業者は行政機関に届出書を提出しなければならない。
【００３７】
電源ケーブル９４０が遊技機９００に付随して流通する場合、遊技機９００から電源ケーブル９４０までが一つの設備とみなされる。したがって、第１の実施形態では遊技機９００の電源ユニット９３０と電源ケーブル９４０との間に保護装置１００が設けられているため、保護装置１００を新たに取り付ける際および保護装置１００を交換する際に該届出が必要となる。それに対して、本実施形態は、保護装置１００が電源ケーブル９４０と外部電源９５０との間に設けられる形態であるため、電源ケーブル９４０が遊技機９００に接続された状態で流通させる場合であっても、風俗営業所に該電源ケーブル９４０付遊技機９００が導入された後に、保護装置１００を該電源ケーブル９４０に取り付けることができる。従って、保護装置１００を新たに取り付ける際および保護装置１００を交換する際に該届出を行う必要がない。このように本実施形態では行政機関への届出が不要となるため、保護装置１００を既存の遊技機９００に導入することがさらに容易となり、かつ保護装置１００を交換する際に生じ得るコストを低減することができる。
【００３８】
（第３の実施形態）
図６は、第３実施形態に係る保護回路１５０’の回路図である。保護基板１５０’以外の構成は、第１、第２実施形態の構成と略同様である。本実施形態に係る保護回路１５０’は、電源遮断のためのトライアックＴ１、フォトカプラＰ１、整流ダイオードＤ１〜Ｄ４、リップル除去のための抵抗Ｒ１、コンデンサＣ１、電圧検出用のツェナーダイオードＺ１、トランジスタＱ１、Ｑ２、通電表示用のパイロットランプＰＬ１等を備えている。
【００３９】
整流ダイオードＤ１〜Ｄ４はいわゆるブリッジ接続され、ラインＬ１、Ｌ２間に印加された交流を直流に整流する全波整流回路である。ダイオードＤ１、Ｄ２の接続点とダイオードＤ３、Ｄ４の接続点に交流電圧が印加されると、ダイオードＤ１、Ｄ４の接続点を接地電位として、ダイオードＤ２、Ｄ３の接続点から正電圧が出力される。ダイオードＤ２、Ｄ３の接続点は抵抗Ｒ１を介してコンデンサＣ１に接続されている。抵抗Ｒ１およびコンデンサＣ１によってリップル電圧が除去され、平滑された直流電圧ＶｄｃがツェナーダイオードＺ１のカソードに印加される。
【００４０】
ツェナーダイオードＺ１はいわゆる定電圧ダイオードであって、逆バイアス接続時においてアノードおよびカソード間の電圧は一定となる。このため、直流電圧ＶｄｃからツェナーダイオードＺ１の定電圧Ｖｚを差し引いた電圧がトランジスタＱ１のゲートに印加される。ここで、閾値電圧Ｖ１とすると、トランジスタＱ１のゲート電圧Ｖｇは式（１）で表される。
【００４１】
【数１】
2015223476.tif 000003
【００４２】
上式において、右辺第１項は全波整流回路における実効電圧を示し、右辺第２項はダイオードＤ１〜Ｄ４における電圧降下を示している。ゲート電圧Ｖｇの閾値電圧を０．７Ｖとすると、ツェナーダイオードＺ１の定電圧Ｖｚと閾値電圧Ｖ１との関係は式（２）にて表される。
【００４３】
【数２】
2015223476.tif 000004
【００４４】
例えば、閾値電圧Ｖ１を２４Ｖに設定する場合には、定電圧Ｖｚ＝１５ＶのツェナーダイオードＺ１を選択すれば良い。このように、ツェナーダイオードＺ１の定電圧Ｖｚを適宜選択することにより、所望の閾値電圧Ｖ１を設定することができる。
【００４５】
ツェナーダイオードＺ１のアノードはトランジスタＱ１のベースに接続されている。電源電圧Ｖａｃが閾値電圧Ｖ１以下である場合には、トランジスタＱ１のゲート電圧Ｖｇがオン電圧（０．７Ｖ）以下となり、トランジスタＱ１はオフとなる。トランジスタＱ１がオフとなると、トランジスタＱ１のコレクタのコレクタ電圧はハイレベルとなり、トランジスタＱ２はオンとなる。一方、電源電圧Ｖａｃが閾値電圧Ｖ１を超えた場合には、トランジスタＱ１がオン、トランジスタＱ２がオフとなる。
【００４６】
トランジスタＱ２のコレクタは抵抗Ｒ４を介してフォトカプラＰ１に接続されている。フォトカプラＰ１は発光ダイオードＤ５、フォトトライアックＴ２を備え、発光ダイオードＤ５とフォトトライアックＴ２とは密閉されたパッケージ内において電気的に遮断されて設けられている。電源電圧Ｖａｃが閾値電圧Ｖ１以下の場合には、トランジスタＱ２がオンとなり、発光ダイオードＤ５に電流が流れ、発光ダイオードＤ５から発せられた光がフォトトライアックＴ２のゲートに照射される。ゲートに光が照射されることにより、フォトトライアックＴ２はオンとなり、交流電流がフォトトライアックＴ２を流れる。同時に、トライアックＴ１のゲートに電流が流れ、トライアックＴ１がオンとなり、電源電圧Ｖａｃが遊技機９００に印加される。一方、電源電圧Ｖａｃが閾値電圧Ｖ１を超えた場合には、トランジスタＱ２がオフとなり、発光ダイオードＤ５には電流が流れなくなる。そして、フォトトライアックＴ２はオフとなり、トライアックＴ１もオフとなる。この結果、遊技機９００への電源電圧Ｖａｃが遮断され、過電圧による遊技機９００の故障を回避することができる。
【００４７】
パイロットランプＰＬ１は交流電圧によって発光可能なネオン管を有しており、保護装置１００の窓１４０から視認できる位置に設けられている。電源電圧が遊技機９００に印加されている場合にはパイロットランプＰＬ１は点灯し、電源電圧が遮断されている場合に消灯する。これにより、ユーザは保護装置１００が遮断状態であるか否かを容易に判断することができる。
【００４８】
第１の実施形態に係る保護基板１５０ではヒューズＦ１を用いて遮断機能を実装しているため、回路が単純であり製造コストが安価であるという利点があるが、遮断機能が作動した場合には保護装置１００の交換が必要となる。それに対して、本実施形態に係る保護基板１５０では、回路が複雑であるが、遮断機能が作動しても保護基板１５０は損なわれないため、保護装置１００の交換を要しないという利点がある。
【００４９】
（第４の実施形態）
本実施形態に係る保護装置２００は、第１の実施形態と同様の遮断機能を有するが、取り付け方式が異なる。図７は、保護装置２００を入力側、すなわち外部電源９５０に接続される側から見た斜視図である。
【００５０】
保護装置２００は、自由ユニット２００ａと固定ユニット２００ｂとを備える。固定ユニット２００ｂは遊技機９００の電源ユニット９３０と外部電源９５０との間に接続される。自由ユニット２００ａは、固定ユニット２００ｂに着脱可能である。自由ユニット２００ａが固定ユニット２００ｂに取り付けられた状態において、保護装置２００は第１の実施形態に係る保護装置１００と同様の遮断機能を実行することができ、第１の実施形態と同様の効果を奏することができる。一方、自由ユニット２００ａが固定ユニット２００ｂから取り外された状態において、遊技機９００の電源ユニット９３０と外部電源９５０との間の電気的接続は絶たれる。
【００５１】
自由ユニット２００ａは、第１の筐体２１０と、電力の入力部（又は出力部）としての電極２６０と、第１の筐体２１０の少なくとも一部に設けられた窓１４０とを備える。第１の筐体２１０は、樹脂等の絶縁性材料で形成されている。第１の筐体２１０の内部には過電圧印加時に電気接続を遮断する保護基板１５０が設けられており、窓１４０から保護基板１５０の状態を視認可能である。窓１４０および保護基板１５０の構成は第１の実施形態と同様である。窓１４０は、自由ユニット２００ａが固定ユニット２００ｂにセットされた状態で、第１の筐体２１０上の外部に露出する面に設けられる。保護基板１５０の入力端子ＣＮ１、出力端子ＣＮ２は、電極２６０に電気的に接続されている。
【００５２】
自由ユニット２００ａの固定ユニット２００ｂからの取り外しを容易にするために、第１の筐体２１０に突起部を設けることが望ましい。該突起部は、自由ユニット２００ａが固定ユニット２００ｂにセットされた状態で、第１の筐体２１０上の外部に露出する面に設けられる。ユーザは、該突起部を引っ張ることによって固定ユニット２００ｂから自由ユニット２００ａを容易に取り外すことが可能になる。
【００５３】
固定ユニット２００ｂは、第２の筐体２７０と、自由ユニット２００ａを挿入するためのスロット２８０とを備える。固定ユニット２００ｂは、遊技機９００の電源ユニット９３０および外部電源９５０に電気的に接続されたケーブル２９０に接続される。第２の筐体２７０は、樹脂等の絶縁性材料で形成されている。
【００５４】
スロット２８０は第２の筐体２７０上に設けられた凹部および貫通部の少なくとも一方であり、スロット２８０の内壁は自由ユニット２００ａ（第１の筐体２１０）に嵌合する形状を有している。スロット２８０の内壁には不図示の電極が設けられており、該電極はケーブル２９０に電気的に接続されている。さらに、該電極は、自由ユニット２００ａがスロット２８０に挿入された場合に、自由ユニット２００ａの電極２６０に電気的に接続されるように構成される。そのため、ケーブル２９０は、自由ユニット２００ａがスロット２８０に挿入された場合に、スロット２８０内壁上の電極を介して、自由ユニット２００ａの電極２６０に電気的に接続される。
【００５５】
本実施形態では、ケーブル２９０は第２の筐体２７０に直接接続されているが、プラグおよびソケットを介して接続されてもよい。保護装置２００の固定ユニット２００ｂは、遊技機９００の電源ユニット９３０と電源ケーブル９４０との接続部分に設けられてもよく、電源ケーブル９４０の途中に設けられてもよく、外部電源９５０と電源ケーブル９４０との接続部分に設けられてもよい。
【００５６】
第１の実施形態に係る保護装置１００は汎用的な接続端子（すなわち、プラグ１２０およびソケット１３０）を採用しているため、既存の遊技機を変更することなく適用できるという利点がある反面、保護装置１００を介さずに外部電源９５０と遊技機９００とを接続することが可能である。ユーザが保護装置１００を介さずに外部電源９５０と遊技機９００とを接続してしまった場合に、結果として誤接続による遊技機９００の破損が発生するおそれがある。それに対して、本実施形態では自由ユニット２００ａを固定ユニット２００ｂにセットしない限り外部電源９５０と遊技機９００とが電気的に接続されないため、ユーザが保護装置２００を使用し忘れることがないという効果がある。
【００５７】
本発明は、上述の実施形態に限定されることなく、本発明の趣旨を逸脱しない範囲において適宜変更可能である。
【符号の説明】
【００５８】
１００、２００  保護装置
１１０、２１０、２７０  筐体
１２０  プラグ
１３０  ソケット
１４０  窓
１５０、１５０’  保護基板
２００ａ  自由ユニット
２００ｂ  固定ユニット
２６０  電極
２８０  スロット
９００  遊技機
９３０  電源ユニット
９４０  電源ケーブル
９５０  外部電源
【図１】
2015223476.tif 000005
【図２】
2015223476.tif 000006
【図３】
2015223476.tif 000007
【図４】
2015223476.tif 000008
【図５】
2015223476.tif 000009
【図６】
2015223476.tif 000010
【図７】
2015223476.tif 000011